(57)【特許請求の範囲】
【請求項１】
アルカリ剤、酸化剤、還元剤の少なくとも１種を含有する毛髪化粧料を収容する多層容器であって、最内層がポリオレフィン系樹脂層で、最内層以外の少なくとも１層が無機物を２元蒸着した蒸着樹脂層であり、かつ、前記蒸着樹脂層の内層側にポリアミド系樹脂層を配置したことを特徴とする毛髪化粧料収容容器。
【請求項２】
アルカリ剤、酸化剤、還元剤の少なくとも１種を含有する毛髪化粧料を収容する多層容器であって、最内層がポリオレフィン系樹脂層で、最内層以外の少なくとも２層が無機物を蒸着した蒸着樹脂層であり、かつ、前記蒸着樹脂層の内層側にポリアミド系樹脂層を配置したことを特徴とする毛髪化粧料収容容器。
【請求項３】
前記蒸着樹脂層の上にポリエステル系樹脂からなるコート層を設けたことを特徴とする請求項１又は請求項２に記載の毛髪化粧料収容容器。
【請求項４】
前記蒸着樹脂層の上にポリエステル系樹脂からなるコート層を設け、その後にインキによる印刷を施したものであることを特徴とする請求項３に記載の毛髪化粧料収容容器。
【請求項５】
前記毛髪化粧料が染料を含有する毛髪化粧料であることを特徴とする請求項１から請求項４のいずれか一項に記載の毛髪化粧料収容容器。
【請求項６】
請求項１から請求項５のいずれか一項に記載の毛髪化粧料収容容器であって、下記（１）又は（２）に記載のいずれかの毛髪化粧料を収容しているものであることを特徴とする毛髪化粧料収容容器。
（１）アルカリ剤と還元剤の少なくとも一方を含有する毛髪化粧料。
（２）酸化染毛剤、酸性染毛料、毛髪脱色剤又はパーマ剤。
【発明の詳細な説明】
【０００１】
【発明の属する技術分野】
この発明は、酸化染毛剤、パーマ剤、酸性染毛料（ヘアマニキュア）等の毛髪化粧料を内部に収容する毛髪化粧料収容容器に関するものである。
【０００２】
【従来の技術】
従来より、毛髪化粧料を収容する容器としては、耐薬品性やバリアー性に優れた塩化ビニル製の樹脂容器やガラス容器、ポリオレフィン系樹脂容器等が広く使用されている。しかし、塩化ビニル製の樹脂容器は、７００℃以下で燃焼すると、猛毒であるダイオキシンが発生し、環境汚染の原因となることが近年、問題となってきた。また、ガラス容器は、ダイオキシンの発生はないが、空き容器は重くて嵩張り、破棄等をしにくいものであった。また、ポリオレフィン系樹脂容器は、燃焼してもダイオキシンは発生せず、耐水性に優れるため、液体を収容するには適しているが、バリアー性に乏しいため、酸化しやすい毛髪化粧料の長期保存には不向きなものであった。そこで、近年、これらの容器に代えて、中間層に高いバリアー性を有するアルミ層を配し、該中間層の外側と内側に耐水性に優れたポリエチレン樹脂等のポリオレフィン系樹脂層を配した積層容器が使用されるようになった。
【０００３】
【発明が解決しようとする課題】
ところが、前記従来の塩化ビニル製の樹脂容器やガラス容器は、廃棄、焼却等に関して、ポリオレフィン系樹脂容器はバリアー性等に関して問題があり、また中間層にアルミ層を設けた積層容器においても、焼却時に焼却炉に損傷を与えるなどの環境対応上の問題の他、容器本体内部の視認性が悪く、内容物の残量を確認できないという問題があった。
【０００４】
この発明は、上記のような従来技術に存在する問題点に着目してなされたものである。その目的とするところは、環境対応上の問題がなく、毛髪化粧料に対する高いバリアー性、耐薬品性、耐水性を具備すると共に内部の視認性に優れた毛髪化粧料収容容器を提供することにある。
【０００５】
【課題を解決するための手段】
上記の目的を達成するために、第１発明の毛髪化粧料収容容器は、毛髪化粧料を収容する多層容器であって、最内層がポリオレフィン系樹脂層で、最内層以外の少なくとも１層が無機物を２元蒸着した蒸着樹脂層であることを特徴とするものである。
【０００６】
第２発明の毛髪化粧料収容容器は、毛髪化粧料を収容する多層容器であって、最内層がポリオレフィン系樹脂層で、最内層以外の少なくとも２層が無機物を蒸着した蒸着樹脂層であることを特徴とするものである。
【０００７】
第３発明の毛髪化粧料収容容器は、第１発明又は第２発明において、前記蒸着樹脂層の上にポリエステル系樹脂からなるコート層を設けたことを特徴とするものである。
【０００８】
第４発明の毛髪化粧料収容容器は、第１発明から第３発明のいずれかの発明において、前記毛髪化粧料がアルカリ剤と還元剤の少なくとも一方を含有する毛髪化粧料であることを特徴とするものである。
【０００９】
第５発明の毛髪化粧料収容容器は、第１発明から第４発明のいずれかの発明において、前記毛髪化粧料が染料を含有する毛髪化粧料であることを特徴とするものである。
【００１０】
【発明の実施の形態】
（第１実施形態）
以下、本発明を具体化した第１実施形態を図面に基づいて詳細に説明する。
図１（ａ）、（ｂ）に示すように、この毛髪化粧料収容容器１１は、多層構造を有しており、最内層から最外層の順に、ポリオレフィン系樹脂層１２、ポリアミド系樹脂層１３、コート層１４及び無機物を２元蒸着した蒸着樹脂層１５の構成で形成されている。そして、容器内部には毛髪化粧料が収容されている。
蒸着樹脂層１５は無機物蒸着層１６と蒸着基材層１７とからなり２元蒸着の場合、該無機物蒸着層１６が、無機物蒸着層１６ａと無機物蒸着層１６ｂとで構成される。
【００１１】
無機物蒸着層１６を形成する無機物としては、酸化ケイ素（ＳｉＯＸ）、アルミナ（Ａｌ２Ｏ３）等が挙げられる。そして、２元蒸着の場合、無機物蒸着層１６として、例えば、酸化ケイ素／アルミナ、アルミナ／酸化ケイ素、酸化ケイ素／酸化ケイ素、アルミナ／アルミナ（内側→外側）及び酸化ケイ素とアルミナのブレンド等が挙げられる。これらの無機物蒸着層１６はいずれも高いバリアー性を有するとともに透明性も有している。そして、蒸着基材層１７に高いバリアー性を付与するとともに、良好な廃棄性を付与するものである。
【００１２】
無機物蒸着層１６の厚さは、通常５０〜５，０００オングストロームが好ましい。この厚さが５０オングストローム未満であると十分なバリアー性が得られない。一方、５，０００オングストロームを超えても、それに相当する効果は得られず、かえって製造コストの点で不利となる。
【００１３】
無機物蒸着層１６の形成に用いられる蒸着方法としては、例えば、真空蒸着法、スパッタリング法、イオンプレーティング法、プラズマ蒸着法、化学的気相蒸着法（ＣＶＤ法）等が挙げられる。
【００１４】
また、無機物蒸着層１６には印刷を施すことができるが、その場合、インキによる無機物蒸着層１６の損傷を防止するため、ポリエステル系樹脂を無機物蒸着層１６の上にコートし、その後に印刷を施すのが好ましい。このポリエステル系樹脂のコート層１４は乾燥も印刷インキ並の条件で良く、印刷工程の１色目のところでコートすることができる。
【００１５】
蒸着基材層１７を形成する樹脂材料としては、ポリエチレンテレフタレート（ＰＥＴ）、ポリエチレンナフタレート（ＰＥＮ）、ポリブチレンテレフタレート（ＰＢＴ）、延伸ナイロン（Ｏ−Ｎｙ）、延伸ポリビニルアルコール、延伸ポリプロピレン（Ｏ−ＰＰ）等が挙げられる。これらの中でも、ポリエチレンテレフタレート（ＰＥＴ）がより好ましい。
【００１６】
蒸着基材層１７の厚さは、５〜２０μｍが好ましい。この厚さが５μｍ未満であると耐水性が得られない。一方、２０μｍを超えても、それに相当する効果は得られず、かえって製造コストの点で不利となる。
【００１７】
ポリアミド系樹脂層１３の形成材料としては、強度、柔軟性、バリアー性に優れたナイロンが好ましい。さらには、延伸ナイロンがより好ましい。
【００１８】
ポリアミド系樹脂層１３の厚さは、５〜２５μｍが好ましい。この厚さが５μｍ未満であるとバリアー性が得られない。一方、２５μｍを超えても、それに相当する効果は得られず、かえって製造コストの点で不利となる。ここで、バリアー性とは、ガスバリアー性、揮発性物質の耐透過性、および液状物質の耐透過性等をいう。
【００１９】
最内層は、耐水性、耐薬品性を有するポリオレフィン系樹脂層１２で形成される。
最内層を形成するポリオレフィン系樹脂層１２の形成材料としては、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、ポリプロピレン（ＰＰ）、エチレン−プロピレン共重合体、エチレン−ブテン共重合体、エチレン−ヘキセン共重合体、エチレン−オクテン共重合体、エチレン−酢酸ビニル共重合体（ＥＶＡ）、エチレン−メチルメタクリレート共重合体、アイオノマー樹脂等が挙げられる。これらの中でも、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、ポリプロピレン（ＰＰ）、エチレン−酢酸ビニル共重合体（ＥＶＡ）、エチレン−メチルメタクリレート共重合体、アイオノマー樹脂が好ましい。
【００２０】
最内層を形成するポリオレフィン系樹脂層１２の厚さは、２０〜２００μｍが好ましい。この厚さが２０μｍ未満であると十分な耐水性、耐薬品性が得られない。一方、２００μｍを超えても、それに相当する効果は得られず、かえって製造コストの点で不利となる。
【００２１】
また、各層間の接着を強固にするために、各層間に接着層として、例えば、変性ポリオレフィン樹脂層等を設けることができる。なお、各層間の接着方法としては、ドライラミネーション法が好適に採用される。
【００２２】
また、容器の形状としては、スタンディングパウチ、パウチ、ボトル、チューブ等が挙げられる。これらの中でも、スタンディングパウチ、パウチがより好ましい。
【００２３】
次に、容器本体内に収容される毛髪化粧料について説明する。
容器本体内に収容される毛髪化粧料としては、例えば酸化染毛剤、酸性染毛料、毛髪脱色剤等の染毛料の他、シャンプー、リンス、整髪剤、パーマ剤、トリートメント剤、ラメ、ヘナ等が挙げられる。剤型は特に限定されるものではなく、例えばジェル状、ゲル状、クリーム状、ペースト状等の粘稠なものや、液状、粉末等が挙げられる。また、一剤式のものでも第１剤と第２剤とからなる二剤式のものでもよい。
【００２４】
パーマネントウェーブ用剤の場合、第１剤には還元剤、アルカリ剤等が配合され、第２剤には酸化剤、ｐＨ調整剤等が配合されている。
【００２５】
パーマネントウェーブ用剤の第１剤に配合される還元剤としては、チオグリコール酸、チオグリコール酸アンモニウム、チオグリコール酸ナトリウム、チオグリコール酸モノエタノールアミンなどのチオグリコール酸塩、グリセリンチオグリコレートなどのチオグリコール酸のエステル、システイン、及びその塩酸塩、Ｎ−アセチル−Ｌ−システインなどのシステイン塩、チオグリセロール、チオ乳酸、チオリンゴ酸、システアミン等のメルカプト化合物、亜硫酸、亜硫酸アンモニウム、亜硫酸ナトリウムなどの亜硫酸塩、亜硫酸水素アンモニウム、亜硫酸水素ナトリウムなどの亜硫酸水素塩、チオ硫酸、チオ硫酸ナトリウムなどのチオ硫酸塩等から選ばれた少なくとも一種が使用される。
【００２６】
その配合量は、第１剤の全重量に対して０．０１〜１５重量％が好ましく、０．０１重量％よりも少ないと毛髪に十分なウェーブを形成できない恐れがあり、１５重量％を超えると毛髪を還元しすぎて毛髪損傷を引き起こす恐れがある。
【００２７】
第１剤に配合されるアルカリ剤としては、アンモニア、アルカノールアミン類（モノエタノールアミン、ジエタノールアミン、トリエタノールアミン等）、有機アミン類（２−アミノ−２−メチル−プロパノール、２−アミノ−２−メチル−プロパンジオール、イソプロパノールアミン、ジイソプロパノールアミン、炭酸グアニジン、塩酸グアニジン、硫酸グアニジン等）、塩基性アミノ酸（アルギニン、リジン等）、無機アルカリ（水酸化ナトリウム、水酸化カリウム、水酸化リチウム、炭酸アンモニウム等）およびそれらの塩等から選ばれた少なくとも一種が使用される。更にそれらを組み合わせて緩衝溶液として使用しても良い。
【００２８】
その配合量は０．０１〜１５重量％が好ましく、１５重量％を超えると毛髪損傷を引き起こす恐れが高くなる。そして、第１剤のｐＨはｐＨ６．０〜１０．０、好ましくは７．５〜９．５に調整される。
【００２９】
さらに、その他の添加成分として、セタノール、ベへニルアルコール等の高級アルコール、バチルアルコール、キミルアルコール等のアルキルグリセリルエーテル、アラビアガム、アルギン酸ナトリウム、キサンタンガム、セルロース誘導体、架橋ポリアクリル酸等の天然又は合成の高分子、脂肪酸等の粘度調整剤、アボカド油、ホホバ油、マカデミアンナッツ油、オリーブ油のグリセライド等の油脂類、ミツロウ、ラノリン等のロウ類、流動パラフィン、固形パラフィン、イソパラフィン、スクワラン等の炭化水素類、ミリスチン酸イソプロピル、ミリスチン酸オクチルドデシル等のエステル類、オレイン酸ジエタノールアミド、ラウリン酸ジエタノールアミド等のアミド類、ジメチルポリシロキサン、メチルフェニルポリシロキサン、ポリエーテル変性シリコーン、アミノ変性シリコーン等のシリコーン誘導体、塩化ステアリルトリメチルアンモニウム、ジステアリルジメチルアンモニウム等のカチオン性界面活性剤、ポリオキシエチレンラウリルエーテルサルフェート、ポリオキシエチレンラウリルスルホコハク酸塩などのアニオン性界面活性剤、ラウリルヒドロキシスルホベタイン、ラウリルジメチルカルボベタイン等の両性界面活性剤、ポリオキシエチレンアルキルエーテル、ポリオキシエチレンアルキルフェニルエーテル等の非イオン界面活性剤、ポリビニルピロリドン、ビニルピロリドンと酢酸ビニルとの共重合体等の非イオン性高分子、アクリル酸及び／又はメタクリル酸と（メタ）アクリル酸アルキルエステルとの共重合体等のアニオン性高分子、Ｎ−メタクリロイルエチル−Ｎ，Ｎ−ジメチルアンモニウム−α−Ｎ−メチルカルボキシベタインとメタクリル酸ブチルとの共重合体等の両性高分子、塩化ジメチルジアリルアンモニウム・アクリルアミド共重合体やカチオン化セルロース等のカチオン性高分子、アミノ酸やタンパク質加水分解物およびその誘導体、エタノールやグリセリン、プロピレングリコール等の溶剤、パラベン等の防腐剤、ＥＤＴＡ−Ｎａ等のキレート剤、フェナセチン等の安定化剤、その他、植物抽出物、生薬抽出物、ビタミン類、天然色素、香料、顔料、紫外線吸収剤等から選ばれた少なくとも一種を第１剤に配合してもよい。
【００３０】
第２剤に配合される酸化剤としては、臭素酸ナトリウム、臭素酸カリウムなどの臭素酸塩、過酸化水素、過ほう酸塩、過炭酸ナトリウム等から選ばれた少なくとも一種が使用される。
【００３１】
その配合量は、第２剤の全重量に対して０．１〜１５重量％が好ましく、０．１重量％よりも少ないと十分な酸化効果が得られず、１５重量％を超えると毛髪損傷の恐れがある。さらには、５〜１０重量％が特に好ましい。
【００３２】
第２剤に配合されるｐＨ調整剤としては、例えば、リン酸、クエン酸、硫酸、酢酸、乳酸、酒石酸等が使用され、第２剤のｐＨは２〜６に調整される。
【００３３】
また、その他の添加成分として、上記した第１剤に配合されうるその他の添加成分の中から選ばれる少なくとも一種を第２剤に配合してもよい。
【００３４】
次に、本発明で使用されるパーマネントウェーブ用剤の処方例を以下に記載するが、本発明はこれらの処方例に限定されるものではない。
【００３５】
・  パーマネントウェーブ用剤（ａ）の場合、パーマネントウェーブ用剤の第１剤は、チオグリコール酸アンモニウム（５０％）を１４．０重量％、モノエタノールアミンを１．５重量％、アンモニア水（２８％）を０．８重量％、ヒドロキシエチルセルロースを０．２重量％、塩化セチルトリメチルアンモニウムを０．４重量％、アミノ変性シリコーンエマルジョンを０．４重量％、精製水を残部配合したものが使用される。
【００３６】
パーマネントウェーブ用剤の第２剤は、臭素酸ナトリウムを８．０重量％、キサンタンガムを０．０５重量％、クエン酸をｐＨを６．０とする量、精製水を残部配合したものが使用される。
【００３７】
・  パーマネントウェーブ用剤（ｂ）の場合、パーマネントウェーブ用剤の第１剤は、システイン塩酸塩を６．０重量％、モノエタノールアミンを１．５重量％、炭酸アンモニウムを１．０重量％、アンモニア水（２８％）を０．８重量％、ヒドロキシエチルセルロースを０．２重量％、塩化セチルトリメチルアンモニウムを０．４重量％、アミノ変性シリコーンエマルジョンを０．４重量％、精製水を残部配合したものが使用される。
【００３８】
パーマネントウェーブ用剤の第２剤は、過酸化水素（３５％）を５．７重量％、キサンタンガムを０．０５重量％、リン酸をｐＨを３．５とする量、精製水を残部配合したものが使用される。
【００３９】
酸化染毛剤の場合、第１剤には酸化染料中間体や直接染料といった染料のほか、アルカリ剤等が配合され、第２剤には酸化剤としての過酸化水素等が配合されている。
【００４０】
酸化染料中間体としては、例えば、フェニレンジアミン類、アミノフェノール類、トルイレンジアミン類、アミノニトロフェノール類、ジフェニルアミン類、ジアミノフェニルアミン類、Ｎ−フェニルフェニレンジアミン類、ジアミノピリジン類及びそれらの塩類（塩酸塩、硫酸塩、酢酸塩等）等が挙げられる。その中でもパラフェニレンジアミン、パラトルイレンジアミン、Ｎ，Ｎ−ビス（２−ヒドロキシエチル）−パラフェニレンジアミン、Ｎ−フェニル−パラフェニレンジアミン、４，４’−ジアミノジフェニルアミン、２−クロロパラフェニレンジアミン、Ｎ，Ｎ−ジメチルパラフェニレンジアミン、パラアミノフェノール、２，６−ジクロロパラフェニレンジアミン、パラアミノフェニルスルファミン酸及びそれらの塩類が染毛力の点から好ましい。これらの酸化染料中間体は単独で配合してもよいし、二種以上を組み合わせて配合してもよい。
【００４１】
酸化染料中間体の配合量は、第１剤の０．０１〜１５重量％が好ましく、０．１〜１０重量％がより好ましい。この配合量が０．０１重量％よりも少ないと十分な染毛効果が得られない。また１５重量％を超えても染毛効果が特に大きくは向上しないので、１５重量％を超えて配合することは不経済である。０．１〜１０重量％の範囲に設定した場合には、染毛効果と経済的な効果の両方をバランスよく発揮することができる。
【００４２】
第１剤に配合される直接染料としては、４−ニトロ−ｏ−フェニレンジアミン、４−ニトロ−ｍ−フェニレンジアミン、２−ニトロ−ｐ−フェニレンジアミン、ピクラミン酸、１−アミノ−４−メチルアントラキノン、１，４−ジアミノアントラキノン、２−アミノ−４−ニトロフェノール、２−アミノ−５−ニトロフェノール、ピクリン酸及びそれらの塩、並びに、「医薬品等に使用することができるタール色素を定める省令」（昭和４１年告示、厚生省）により定められた酸性染料である、赤色２号、赤色３号、赤色１０２号、赤色１０４号の（１）、赤色１０５号の（１）、赤色１０６号、赤色２０１号、赤色２２７号、赤色２３０号の（１）、赤色２３０号の（２）、赤色２３１号、赤色２３２号、赤色４０１号、赤色５０２号、赤色５０３号、赤色５０４号、赤色５０６号、黄色４号、黄色５号、黄色２０２号の（１）、黄色２０２号の（２）、黄色２０３号、黄色４０２号、黄色４０３号の（１）、黄色４０６号、黄色４０７号、だいだい色２０５号、だいだい色２０７号、だいだい色４０２号、緑色３号、緑色２０４号、緑色２０５号、緑色４０１号、緑色４０２号、紫色４０１号、青色１号、青色２号、青色２０２号、青色２０３号、青色２０５号、かっ色２０１号、黒色４０１号等から選ばれた少なくとも一種が使用される。そして、この直接染料を配合することにより、染め上がり及び染色性に、より優れた効果が得られる。
【００４３】
直接染料の配合量は０．００１〜１０重量％が好ましく、０．００１重量％よりも少ないと十分な染め上がり及び染色性が得られず、１０重量％を越えても、その効果は変わらず経済的ではない。さらには、０．０１〜５重量％が特に好ましく、０．０１重量％以上配合することにより、より優れた染め上がり及び染色性が得られる。一方、５重量％を越えた場合は染め上がり及び染色性の上昇は少なくなる。
【００４４】
第１剤に配合されるアルカリ剤としては、上記したパーマネントウェーブ用剤の第１剤に配合されうるアルカリ剤の中から選ばれる少なくとも一種が使用される。
【００４５】
また、その他の添加成分として、上記したパーマネントウェーブ用剤の第１剤に配合されうるその他の添加成分の中から選ばれる少なくとも一種を酸化染毛剤の第１剤に配合してもよい。
【００４６】
第２剤に配合される酸化剤としては、例えば、過酸化水素、過炭酸塩、過ホウ酸塩、過硫酸塩、過酸化ナトリウム、過酸化カリウム、過酸化マグネシウム、過酸化バリウム、過酸化カルシウム、過酸化ストロンチウム、硫酸塩の過酸化水素付加物、リン酸塩の過酸化水素付加物、ピロリン酸塩の過酸化水素付加物、過酸化尿素、過酸化メラミン等が挙げられ、その中でも過酸化水素が好ましい。これらの酸化剤は単独で配合してもよいし、二種以上を組み合わせて配合してもよい。
【００４７】
酸化剤の配合量は、第２剤の０．１〜９．０重量％が好ましく、２．０〜６．０重量％がより好ましい。この配合量が０．１重量％よりも少ないと十分な酸化効果が得られず、逆に９．０重量％を超えると毛髪に損傷を引き起こすおそれがある。２．０〜６．０重量％の範囲に設定した場合には、十分な酸化効果を発揮しながらも毛髪に損傷を引き起こすおそれを抑制することができる。
【００４８】
また、その他の添加成分として、上記したパーマネントウェーブ用剤の第１剤に配合されうるその他の添加成分の中から選ばれる少なくとも一種を酸化染毛剤の第２剤に配合してもよい。
【００４９】
次に、前記のように構成された毛髪化粧料収容容器の作用を説明する。
さて、毛髪化粧料を実施形態の毛髪化粧料収容容器１１に収容して保存する場合、毛髪化粧料中の成分は内側から徐々に最内層に浸透し、外部に漏出しようとする。しかし、毛髪化粧料中の成分は毛髪化粧料収容容器１１の表面へ浸透することはできないため、毛髪化粧料中の成分が保存時に減少するおそれはない。
【００５０】
以上のように、この実施形態によれば次のような効果が発揮される。
・  実施形態の毛髪化粧料収容容器１１は、最内層から最外層の順にポリオレフィン系樹脂層１２、ポリアミド系樹脂層１３、コート層１４及び無機物を２元蒸着した蒸着樹脂層１５の構成で形成されているため、高いバリアー性を発揮するとともに、耐水性及び耐薬品性に優れた毛髪化粧料用容器を得ることができる。
【００５１】
・  実施形態の毛髪化粧料収容容器１１は、無機物を２元蒸着した蒸着樹脂層１５の内側に柔軟性に優れたポリアミド系樹脂層１３を配置した構成で形成される。このため、無機物蒸着層１６へのクラックを防止することができる。よって、毛髪化粧料の保存安定性を向上させることができる。
【００５２】
・  ところで、ＳｉＯＸやＡｌ２Ｏ３の無機物蒸着層に印刷を施した場合、印刷工程において、印刷インキを乾燥させる工程でインキの収縮により、無機物蒸着層にクラックが入りバリアー性を低下させるという問題がある。
【００５３】
しかし、実施形態の毛髪化粧料収容容器１１では、無機物蒸着層１６の上にポリエステル系樹脂からなるコート層１４が設けられているため、印刷インキによる損傷がない。
【００５４】
・  実施形態の毛髪化粧料収容容器１１は、透明性を有する素材によって形成されている。このため、内容物の残量を容易に確認することができると共に、収容されている内容物が何であるのかを、外から見ただけで容易に確認することができる。則ち、二剤式のパーマネントウェーブ用剤の場合、第１剤と第２剤を見間違えることはない。
【００５５】
・  実施形態の毛髪化粧料収容容器１１は、環境に対しクリーンな素材によって形成されている。このため、焼却時にダイオキシン等を発生することがなく、焼却残査も極めて少ない。
【００５６】
・  実施形態の毛髪化粧料収容容器１１は、最内層が、耐水性、耐薬品性に優れたポリオレフィン系樹脂層１２で形成されている。このため、パーマネントウェーブ用剤、酸化染毛剤等の第２剤を収容した場合でも、酸化剤である臭素酸塩や過酸化水素等が経時分解される恐れはほとんどない。
【００５７】
また、たとえ内容物中の例えば、過酸化水素が分解され、発生した酸素により、容器本体内の内圧が急激に上昇し、圧力が特定箇所に集中することがあっても、容器本体が薄肉可撓性の積層シート剤で形成されているため、前記シート剤が軟らかく撓んで圧力を分散させ、容器本体の破裂を防止することができる。よって、パーマネントウェーブ用剤、酸化染毛剤等の第２剤の保存安定性を向上させることができる。
また、詰替容器としても利用することができる。
【００５８】
・  ところで、毛髪化粧料として、揮発性の高いアンモニアをアルカリ剤として含有するパーマネントウェーブ用剤、酸化染毛剤等の第１剤を使用する場合、従来のエチレン−ビニルアルコール共重合体やポリアミド系樹脂等のバリアー層のみでは、完全にアンモニアの透過を防止することは困難であった。
【００５９】
そこで、エチレン−ビニルアルコール共重合体やポリアミド系樹脂等の代わりにアルミニウムフィルムを使用することで、アンモニアの透過を防止する試みがなされているが、焼却時に焼却炉に損傷を与えるなどの環境対応上の問題の他、容器本体内部の視認性が悪く、内容物の残量を確認できないなどの問題がある。
【００６０】
しかし、実施形態の毛髪化粧料収容容器１１では、無機物を２元蒸着したポリエチレン樹脂層１５とポリアミド系樹脂層１３の２層でバリアー層を形成しているため、揮発性の高いアンモニアをアルカリ剤として含有する毛髪化粧料を収容した場合でも、十分にアンモニアの透過を防止することができ、かつ、内容物の残量も容易に確認することができる。よって、アルカリ剤を含有する毛髪化粧料の保存安定性を向上させることができる。
【００６１】
また、実施形態の染毛剤収納容器１１は、無機物を２元蒸着したポリエチレン樹脂層１５とポリアミド系樹脂層１３の２層でバリアー層を形成しているため、染料を含有する毛髪化粧料を収容した場合でも、染料の透過を防止することができるとともに、外部からの酸素による容器本体内での染料の酸化（黒変）を防止することができる。よって、染料を含有する毛髪化粧料の保存安定性を向上させることができる。
【００６２】
なお、本実施形態は、次のように変更して具体化することも可能である。
【００６３】
・  実施形態の毛髪化粧料収容容器１１を中央で連結した一対の第１包装袋と第２包装袋とで構成すること。このように構成した場合、二剤式の毛髪化粧料の第１剤と第２剤をそれぞれ収容することができる。
【００６４】
・  実施形態の毛髪化粧料収容容器１１を自立性を有するスタンディングパウチ容器として形成すること。このように構成した場合、詰替容器としても、本体容器としても使用することができる。
【００６５】
・  実施形態の毛髪化粧料収容容器１１の層構成を、最内層から最外層の順に、例えば、ポリオレフィン系樹脂層／Ｏ−Ｎｙ層／２元蒸着ＰＥＴ層／ＰＥＴ層、ポリオレフィン系樹脂層／ＥＶＯＨ層／Ｏ−Ｎｙ層／コート層／２元蒸着ＰＥＴ層、ポリオレフィン系樹脂層／Ｏ−ＰＰ層／Ｏ−Ｎｙ層／コート層／２元蒸着ＰＥＴ層、ポリオレフィン系樹脂層／Ｏ−ＰＰ層／ＥＶＯＨ層／コート層／２元蒸着ＰＥＴ層等として形成すること。このように構成した場合、よりバリアー性を向上させることができる。
【００６６】
（第２実施形態）
次に、この発明の第２実施形態を前記第１実施形態と異なる点を中心にして図２に従って説明する。
【００６７】
図２に示すように、この第２実施形態による毛髪化粧料収容容器１１は、最内層から最外層の順に、ポリオレフィン系樹脂層１２、ポリアミド系樹脂層１３、コート層１４、無機物を蒸着した蒸着樹脂層１５、無機物を蒸着した蒸着樹脂層１５の構成で形成されている。
【００６８】
無機物を蒸着した蒸着樹脂層１５の２層構成としては、例えば、ＰＥＴ−ＳｉＯＸ／ＰＥＴ−Ａｌ２Ｏ３、ＰＥＴ−Ａｌ２Ｏ３／ＰＥＴ−ＳｉＯＸ、ＰＥＴ−ＳｉＯＸ／ＰＥＴ−ＳｉＯＸ、ＰＥＴ−Ａｌ２Ｏ３／ＰＥＴ−Ａｌ２Ｏ３（内層側→外層側）が挙げられる。
【００６９】
そして、第２実施形態の毛髪化粧料収容容器１１によれば、より高いバリアー性を発揮するとともに、耐水性及び耐薬品性に優れた毛髪化粧料用容器を得ることができる。
【００７０】
【発明の効果】
以上詳述したように、この発明によれば、次のような効果を奏する。第１発明及び第２発明の毛髪化粧料収容容器によれば、廃棄、焼却に関してダイオキシンの発生の懸念がなく、毛髪化粧料に対する高いバリアー性、耐薬品性、耐水性を具備することができる。
【００７１】
第３発明の毛髪化粧料収容容器によれば、第１発明又は第２発明の効果に加え、無機物蒸着層に印刷を施す際、印刷インキによる無機物蒸着層の損傷を防止することができる。
【００７２】
第４発明の毛髪化粧料収容容器によれば、第１発明から第３発明の効果に加え、容器本体内に収容される毛髪化粧料がアルカリ剤と還元剤の少なくとも一方を含有する毛髪化粧料であっても、内容物の保存安定性を向上させることができる。
【００７３】
第５発明の毛髪化粧料収容容器によれば、第１発明から第４発明の効果に加え、容器本体内に収容される毛髪化粧料が染料を含有する毛髪化粧料であっても、内容物の保存安定性を向上させることができる。
【図面の簡単な説明】
【図１】  （ａ）はこの発明の毛髪化粧料収容容器の第１実施形態を示す斜視図、（ｂ）はその構成素材の断面図。
【図２】  第２実施形態における毛髪化粧料収容容器の構成素材の断面図。
【符号の説明】
１１…毛髪化粧料収容容器、１２…ポリオレフィン系樹脂層、１３…ポリアミド系樹脂層、１４…コート層、１５…蒸着樹脂層、１６…無機物蒸着層、１７…蒸着基材層
【図１】
0004789326.tif 000002
【図２】
0004789326.tif 000003